(57)【要約】【課題】電源を必要とせず、いつでもどこでも使用することができ、瞬時に波動を増幅転波することができる、多機能型リラクゼーション器具としても利用可能な波動増幅転波器を提供すること。【解決手段】波動を発する物質からなる複数の板状片を千鳥状に３列に配列して全体的に点対称且つ線対称に配置させてなる波動増幅転波器であって、前記複数の板状片は点対称な正多角形状又は円形状を有し、相互に隣り合う３個の板状片はこれによって囲まれる小空間を形成していることを特徴とする波動増幅転波器。【選択図】図１
2004329785.tif 000002
【特許請求の範囲】
【請求項１】
波動を発する物質からなる複数の板状片を千鳥状に３列に配列して全体的に点対称且つ線対称に配置させてなる波動増幅転波器であって、前記複数の板状片は点対称な正多角形状又は円形状を有し、相互に隣り合う３個の板状片はこれによって囲まれる小空間を形成していることを特徴とする波動増幅転波器。
【請求項２】
点対称な正多角形状が、正四角形、正六角形、正八角形及び正十角形から選択される１種又は２種以上の組み合わせからなる請求項１に記載の波動増幅転波器。
【請求項３】
各列に配列された板状片は、隣り合う互いの辺を対向させて配置されている請求項２に記載の波動増幅転波器。
【請求項４】
中央の列の両末端に配列された板状片が正四角形であり、その他の板状片が正八角形である請求項３に記載の波動増幅転波器。
【請求項５】
中央の列に配列された正四角形状の板状片と正八角形状の板状片は対向する辺間の距離が同じ寸法であり、他の列の両末端に配列された正八角形状の板状片は他の正八角形状の板状片よりも小さい寸法を備える請求項４に記載の波動増幅転波器。
【請求項６】
前記両末端に配列された正八角形状の板状片と前記他の正八角形状の板状片の対向する辺間の距離の比率が６：５であり、かつ厚さの比率が５：４である請求項５に記載の波動増幅転波器。
【請求項７】
上記波動を発する物質が、天然鉱石又は木炭である請求項１〜６のいずれか１項に記載の波動増幅転波器。
【請求項８】
前記板状片は枠体内に収容されている請求項１〜７のいずれか１項に記載の波動増幅転波器。
【発明の詳細な説明】
【０００１】
【発明の属する技術分野】
本発明は、波動増幅転波器に関する。より具体的には、波動を発する物質からなり、一定の平面形状を有する複数の板状片を２次元的に配列した構造を有し、該物質の持つ遠赤外線放射によるマイクロマッサージ作用とともに波動増幅転波による気功作用を発揮する多機能型のリラクゼーション健康器具や、波動水生成器などとしても使用可能な波動増幅転波器に関する。
【０００２】
【従来の技術】
自然界に存在するあらゆる物質は原子から構成されており、人間をはじめとするあらゆる動物や植物も、本来的に固有の波動エネルギーを有し、放射していると言われている。この波動エネルギー自体の発生メカニズムは、現在のところ解明されていないが、量子力学の分野において原子を構成する電子、陽子、中性子等の素粒子レベルの振動エネルギーに起因するものであり、一種の電磁波エネルギーであると考えられている。
【０００３】
この波動エネルギーは、動植物をはじめあらゆる物質に作用することが今日知られてきている。例えば、この波動は人間の脳波の１種であるα波と同一視することができるとの考え方があり、α波の８〜１３ヘルツの周波数帯の波動エネルギーを人体に与えると、健康増進や精神安定等に非常に効果的であることが確認されている。
【０００４】
また、特に気功の世界では、環境などの外的要因やストレスなどの内的要因により、動植物の波動エネルギーの放射が阻害されることとなる結果、病気になりやすく、また何らかの原因により、このような波動エネルギーの放射が低下した動植物に正常なプラスの波動を与えてこれらが放射する波動を正常な状態に戻すことにより、本来有している自然治癒力が活性化され、病気が治癒すると考えられている。そのため、患者の治療を行う気功師は、修行鍛錬の末に自己の持つ波動、特にプラスの波動を体内で増幅等コントロールすることができ、その強いプラスの波動を患者に放射又は転波していると言われている。本明細書では、このような波動を増幅して人体に転波させる作用を気功作用という。
【０００５】
そして、このエネルギーを有する波動を他の物質に転波して（一般には、転写、送波とも呼ばれている。）、当該物質の波動を変化させる試みがなされており、このような波動の転波技術として、例えば、２つの電磁コイルを並べて設け、通電によりこれら２つのコイル間に生じる干渉磁場の磁気エネルギーを利用して、オリジナル側のコイル上に載せた物質から発せられる固有の波動エネルギーをコピー側のコイル上に載せた物質に転写する波動転写装置に関する技術が提案されている（特許文献１参照）。
【０００６】
一方、同様の電磁波として、中間赤外線を含む遠赤外線がある。遠赤外線は、その温熱作用が知られており、温熱療法等に活用されているものであるが、特に４〜１４μｍの波長を有する中間赤外線は、育成光線又は成長光線とも呼ばれ、動植物の生理活性作用や成長促進作用があるとともに、マイクロマッサージ作用も有することが知られている。
【０００７】
この微弱なエネルギーを有する中間赤外線や遠赤外線を人体へ放射することにより、健康の維持増進を図ることを目的とした健康器具も多く提案されている。
このような例として、例えば、遠赤外線による温熱作用を有する鉱石またはこの粉状物をセラミック材料に混入した焼成物からなる板状に形成された放射板の下側に電気ヒーター等の発熱装置を配置した多機能特性を有するリラクゼーション健康器具に関する技術が提案されている。かかる技術は、電気ヒーターによる加熱により上記放射板より遠赤外線が放射され温熱効果に資するとともに、上記放射板内に短柱状等の磁性体を組み込むことにより、磁性体により血行が良くなるという磁気効果を得るものである（特許文献２参照）。
【０００８】
【特許文献１】
特開平９−１８２７２７号公報
【特許文献２】
特開平８−３３７２３号公報
【０００９】
【発明が解決しようとする課題】
しかしながら、従来の装置は、何れも電源を必要とし、電源のないところではこれらの装置は使用できないという問題があった。従って、装置自体の携帯性には優れるものの、どこででも手軽にこの装置を使用することができるといったものではなかった。
【００１０】
従って、本発明は、電源を用いずに波動を増幅転波する作用を備えるとともに、遠赤外線によるマイクロマッサージ作用も発揮することができるリラクゼーション健康器具などとしても使用可能な波動増幅転波器を提供することを目的とする。
【００１１】
【課題を解決するための手段】
上記目的は、本発明によれば、波動を発する物質からなる複数の板状片を千鳥状に３列に配列して全体的に点対称且つ線対称に配置させてなる波動増幅転波器であって、前記複数の板状片は点対称な正多角形状又は円形状を有し、相互に隣り合う３個の板状片はこれによって囲まれる小空間を形成していることを特徴とする波動増幅転波器によって達成される。
【００１２】
本発明に係る波動増幅転波作用のメカニズムは不明であるが、波動を発する物質からなる所定形状の板状片を所定の配列で配置し、隣接する３個の板状片で囲まれた小空間を形成することにより、該小空間の内部及びその近傍において個々の板状片から発せられる波動を相互に干渉させ、打ち消し合うような場が局所的に形成される。その結果、本発明の装置を構成する板状片の上方近傍においても個々の板状片が発する波動が打ち消し合う場が形成され、この場が波動の増幅転波に大きく寄与しているものと考えられる。本発明の波動増幅転波器は、これに接触した物（気体、固体、液体の別を問わず。）や人体の備える波動を増幅して、この増幅された波動を他の物や他の人体または自分自身へ転波する作用を備えている。
【００１３】
【発明の実施の形態】
次に、好ましい実施の形態を挙げて本発明を詳細に説明する。
先ず、本発明に係る波動増幅転波器において使用される板状片について説明する。本発明で用いる板状片は、波動を発する物質を用いて作製される。冒頭に述べた通り、あらゆる物質はそれ自体固有の波動を発していると考えられていることから、この波動を発する物質としては特に限定されず、いずれの物質も使用できる。好ましくは、一般的にプラスの波動を放射し、しかもそのエネルギーが高いと言われている物質を使用するのがよい。このような物質の例としては、御影石等の花崗岩、大理石、水晶、角閃石、トルマリン（原石名タウマリン、別名電気石）、麦飯石、シリカブラック等の天然鉱石や備長炭等のいわゆる木炭が挙げられる。これらの物質は、一般には、中間赤外線を含めた遠赤外線の放射率も高いものである。更に好ましくは、波動エネルギーの最も高いと言われている大理石や花崗岩などを使用するのがよい。
【００１４】
次に、上記板状片の平面形状について説明する。本発明に係る波動増幅転波器を構成する板状片は、点対称な正多角形状又は円形状を有する板状片とされる。
点対称な正多角形状の具体例としては、正四角形、正六角形、正八角形、正十角形等の正ｎ角形（ｎは偶数）等が挙げられる。本発明に係る波動増幅転波器では、これらのうち１種又は２種以上を組み合わせて使用できる。特に好ましくは、これらのうち正四角形状の板状片及び正八角形状の板状片を組み合わせて使用するのがよい。このような正四角形状及び正八角形状の板状片を用いて後述の配列方法に基づいて配置した場合に、相互に隣り合う３個の板状片によって囲まれる小空間を容易に形成することができるので好都合である。
【００１５】
個々の板状片の平面の寸法、即ち円形状の板状片であれば、その直径、上記に例示した正四角形状の板状片であれば辺の長さであり、それよりも多くの頂点を有する正多角形状の板状片であれば対向する辺間の距離（以下、正多角形状の板状片の平面の寸法を包括的に「対向する辺間の距離」とする。）は、特に限定されず、種々に設定できる。また、上記個々の板状片の厚さについても特に限定されない。従って、常識的な範囲内で薄板状から短柱状のものまで広く使用できる。個々の板状片を配列するに当たっては、これらの板状片は、総て同一の厚さのものを用いてもよく、異なる厚さの板状片を組み合わせて配列することもできる。
【００１６】
上記の形状を有する個々の板状片の対向する平面は、略平坦であることが好ましいが、いずれか一方の平面は、複数の突起を設けたものであっても構わない。
これにより、本発明に係る波動増幅転波器をリラクゼーション健康器具として使用した場合に、指圧作用をももたらすことが可能となる。また、個々の板状片の側面も略平坦であり、該側面と上記平面とのなす角は、略直角であることが好ましい。
【００１７】
上記の形状を有する個々の板状片は、波動を発する物質からなるものであれば、どのような方法によって作製されたものであってもよい。例えば塊状、棒状等の形状を呈する上記例示した物質を適宜裁断、切削加工等して板状片としたものであってもよい。また、これらの物質を公知の粉砕機、破砕機等を用いて粉砕して粉粒状とした上で、熱硬化性樹脂、熱可塑性樹脂等の各種樹脂や例えばセメント、石膏等の無機質の水硬性物質と均一に混合して板状片に成形した後に、硬化させたものであってもよい。更に、上記のように粉粒状とした上で、粘土、窯土等のセラミック材料と均一に混合して板状片に成形した後に、焼成又は焼結したものであってもよい。
【００１８】
本発明に係る波動増幅転波器は、上記板状片を千鳥状に３列に配列して全体的に点対称且つ線対称に配置させ、その際、相互に隣り合う３個の板状片がこれによって囲まれる小空間を形成するよう構成される。かかる小空間は、板状片の形状や寸法を適宜選択することによって形成できる。ここで、千鳥状とは、中央の列に配列された個々の板状片に対して、その上下の列に配列される個々の板状片が、互い違いの位置関係となるように配列された状態をいう。
【００１９】
図１は、本発明の波動増幅転波器の好ましい実施の形態の一例を示す平面図である。この例では、波動増幅転波器は、正四角形状の板状片（Ａ）２枚と、対向する辺間の距離および厚さが該板状片（Ａ）と同じ寸法の正八角形状の板状片（Ｂ）４枚と、対向する辺間の距離および厚さが該板状片（Ａ）よりも若干小さい寸法の正八角形状の板状片（Ｃ）４枚から構成される。
【００２０】
図１の装置は、図の左から正四角形状の板状片（Ａ）、正八角形状の板状片（Ｂ）、正八角形状の板状片（Ｂ）および正四角形状の板状片（Ａ）をこの順で配列して中央の列を構成している。該中央の列において、それぞれの板状片は隣り合う板状片と互いの辺を対向させるとともに互いの側面を近接させて配置されている。なお、本明細書において、「近接」なる用語は、互いの側面が接触している状態のみならず、接触せずに僅かな隙間をおいて対向している状態を含む概念で用いている。また、該中央の列の上方及び下方の各列は、左から正八角形状の板状片（Ｃ）、正八角形状の板状片（Ｂ）および正八角形状の板状片（Ｃ）をこの順で配列することにより構成されている。該上下の列において、それぞれの板状片は隣り合う板状片と互いの辺を対向させるとともに互いの側面を近接させて配置されている。そして、上下の各列は、中央の列と中央線（Ｌ）を共通にして互いに近接配置されており、その結果、全体的に点対称且つ線対称の配列を形成している。図１から明らかなように、中央の列の各板状片の中心と上下の列の各板状片の中心とは、上記中央線に平行する線上に乗らないように配置されており、すなわち、千鳥状に配置されている。また、本発明においては、通常、中央の列を挟む上下の列を構成する板状片の個数を、中央の列の板状片の個数より１個少なくするのがよい。
【００２１】
かくして、図１のような配置とすることにより、相互に隣接する３個の板状片は、何れも、それらによって囲まれる小空間（Ｓ）を形成する。前述のように、板状片（Ａ）、（Ｂ）、（Ｃ）は互いに近接配置されていれば良く、完全に当接または接触していなくてもよいので、該小空間は、３個の板状片によって完全に閉じられた空間である必要はない。該小空間は、隣接する３個の板状片の辺を延長した仮想線で区画される図形とした場合、板状片の面積の１／５〜１／５０程度の大きさを有していればよいと考えられる。前述のように、この小空間の内部及びその近傍には、個々の板状片から発せられる波動を相互に干渉させ、打ち消し合うような場が局所的に形成されるので、波動を増幅できるものと考えられる。
上記小空間の大きさが十分なものであるかどうか、上記小空間の内部又はその近傍にて波動が打ち消し合っているかどうか、および、その結果波動が増幅されたかどうかについては、最終的には、波動テスターで確認することによって判定できる。
なお、上記の装置において、板状片は１層のみから構成されているが、その波動増幅転波機能を阻害しない限り、２枚以上の板状片を積層して構成することもできる。また、上記の装置において、その波動増幅転波機能を阻害しない限り、上記装置の周辺（上方、下方、側方を含む）に他の板上片やその他の物体を配置してもよい。
【００２２】
本発明の装置は、上記板状片が横ずれして乱れないように、枠体内に収容して提供してもよい。この枠体は、本発明の装置をちょうど収容できる大きさの開口部を有していることが好ましいが、多少大き目の開口部を有しているものであっても支障がない。この場合、収容した板状片と枠体との間の隙間に詰め物をしてもよい。かかる枠体の材質は、本発明の波動増幅転波器にて増幅される波動を阻害しないような材質であれば特に限定されないが、好ましくは弱い波動を発する材質（放射する波動エネルギーが小さい材質）とするのがよい。このような材質としては、例えば厚紙、段ボール紙、木質板などが挙げられる。枠体は、これらの１種類のみを用いて作製してもよいし、これらを積層したものであってもよい。また、枠体の厚さは、上記板状片を収容した状態で、各板状片の配列を保持でき、横ずれしない程度のものであればよい。
【００２３】
また、この枠体は、板状片を載置可能な底板や板状片を被覆するカバーを備えてもよい。これらの底板及びカバーは、いずれも上記の放射する波動エネルギーの小さい材質のものを１種又は２種以上積層等することにより作製できる。上記底板は、板状片を収容した状態で持ち運びができる程度の強度を有しているのが好ましい。また、底板及び枠体にこれらの板状片を接着して固定してもよいが、必ずしも固定する必要はない。このように個々の板状片を取り外し可能とした場合、上記枠体から個々の板状片を取り外し洗うことも可能となる利点がある。なお、底板には、使用者がそれぞれの板状片を適切な位置に再配置できるように、各板状片に対応した区画を記しておいてもよい。
【００２４】
本発明の波動増幅転波器は、これに接触した物や人体の備える波動を増幅して、この増幅された波動を他の物や他の人体または自分自身へ転波する作用を有するので、板状片の上に例えば前記したようなプラス波動を発する物質を載せた状態で室内に設置しておくだけで、室内の空気や水分にプラス波動が与えられ、室内環境の改善効果が得られる。この室内環境の改善効果には、地面下の水脈や断層等から放射される波動が健康障害の一因となるジオパシックストレスの予防効果も含まれる。また、この装置に所定の容器に入れた水を接触させることにより、瞬時に板状片の上に載せた物質のプラス波動を水に転波させて波動水の生成装置として使用できる。更に、本発明の装置を構成する板状片やその上に載せる物質が中間赤外線を含む遠赤外線をも放射する性質を有する場合には、上記物質を本発明の装置の板状片上に載せた状態で床構造中や床下収納庫中に収納したり、床下に設置することで、調湿のみならず害虫予防やその駆除にも効果がある。
【００２５】
本発明に係る波動増幅転波器はまた、上記の作用を有することから気功作用を有する健康器具としても使用できる。また、本発明の装置に自分自身の両手をそれぞれ接触させることで自身の波動を増幅して高めることができる。更に、ピアス等の装身具を身に着けてかぶれを発症するのは、該装身具と人体との波動が異なるためであると言われており、このような場合にも該装身具及び本人の片手をそれぞれ本発明の装置の板状片の上に接触させて本人の備える波動を増幅して上記装身これらの具に転波することにより、かぶれの発症を防止できる。更にまた、板状片として中間赤外線を含む遠赤外線照射作用の高いものを使用した場合には、気功作用とマイクロマッサージ作用を兼ね備えた多機能型リラクゼーション健康器具としても使用できる。
【００２６】
【実施例】
御影石を切削し、正四角形状の板状片（Ａ）２枚、正八角形状の板状片（Ｂ）５枚及び正八角形状の板状片（Ｃ）４枚を得た。各々の板状片のサイズは、以下の通りである。
正四角形状の板状片（Ａ）  ６０ｍｍ角、厚さ１０ｍｍ
正八角形状の板状片（Ｂ）  対向する辺間の距離６０ｍｍ、厚さ１０ｍｍ
正八角形状の板状片（Ｃ）  対向する辺間の距離５０ｍｍ、厚さ８ｍｍ
ここで、上記正八角形状の板状片（Ｂ）及び（Ｃ）の対向する辺間の距離は、６：５であり、厚さの比は、５：４である。尚、上記板状片のうち正八角形状の板状片（Ｂ）１枚は、後述の方法により配置して得られる本発明の波動増幅転波器の正四角形状の板状片の上に載せ、当該装置によりこの正八角形状の板状片（Ｂ）の発する波動を増幅転波するために使用するものである（以下、この板状片を「波動増幅用の板状片」という。）。
【００２７】
図１に示すように、先ずこれらの板状片のうち正八角形状の板状片
（Ｂ）２枚を互いの辺を対向するように、またそれらの両末端に正四角形状の板状片（Ａ）２枚を互いの辺が対向するように配置した。次に、上記２枚の正八角形状の板状片の間のＶ字状の空間に正八角形状の板状片（Ｂ）の残りの２枚をそれぞれ図の上下方向から当接し、これらの板状片によって全体として十字状となるように配置した。続いて正八角形状の板状片（Ｃ）４枚の各々を中央の列から上下に突出した正八角形状の板状片（Ｂ）の左右からそれぞれ互いの辺が対向するように、また別の辺が中央の列の両末端に配置した正四角形状の板状片の上下の辺に当接するように配置することにより、本発明に係る波動増幅転波器を得た。この配置により、相互に隣り合う３個の板状片は、これらによって囲まれる小空間を形成した。
【００２８】
［波動の検波方法］
線径０．２６ｍｍの銅線の一端に導電性の良い金属製クランプを連結して、該クランプに円錐形コイルばねの小端径側を固定し、このクランプ及び円錐形コイルばねを錘とした振り子を波動テスターとした。この波動テスターは、被測定物がプラスの波動を発する場合には、その影響を受けて錘が上から見て時計周りに回転し、その波動の強さに応じてその振幅が大きくなる。その反面、被測定物がマイナスの波動を発する場合には、逆に半時計方向に回転し、上記と同様波動の強さに比例してその振幅が大きくなり、波動の影響をまったく受けない場合には回転しないという挙動を示すものである。
【００２９】
上記した波動増幅転波器を構成する板状片のうち正四角形状の板状片１枚を抜き取り、平坦な机の上に置き、同板状片の表面より約１０ｍｍ上方に上記コイルばねの下面がくるように親指と人差し指で銅線の他端をつまんで上記波動テスターを吊るしたところ、テスターの錘は上から見て時計方向に回転し始めた。このことから、御影石は、プラスの波動を発していることを確認することができた。
【００３０】
上記した正四角形状の板状片１枚を元の位置に戻し、波動増幅転波器を完成させ、相互に隣り合う３個の板状片によって囲まれた小空間の中心で且つ板状片表面から約１０ｍｍ上方にコイルばね下面がくるようにこの波動テスターを吊るしても、まったく回転する挙動が認められなかった。これは、上記板状片が発する波動が、この小空間部分では、相互に干渉し合い、波動を打ち消し合っているものと考えられる。
【００３１】
［実施例１］
通常の方法でたてたお茶を湯飲みに八分目程度注ぎ、このお茶の液面より約１０ｍｍ程度離して同様の方法により上記波動テスターの錘を吊るしたところ、このお茶に対しては波動テスターの錘は、小さい振幅にて反時計方向に回転し始めた。
この測定を終えた後、このお茶の入った湯飲みを上記波動増幅転波器の一方の正四角形状の板状片上に載せ、他方の正四角形状の板状片の上に上記した波動増幅用の板状片１枚を載せ、波動テスターを用いて同様の方法によりお茶から発生する波動を検波した。その結果、そのお茶に対しては、波動テスターの錘は、上から見て時計方向に大きな振幅にて回転し始めた。これにより、この波動増幅転波器によって板状片を形成する御影石の波動がお茶自体に瞬時に転波されたことが確認できた。
尚、上記の波動増幅転波器の両端の正四角形状の板状片の表面にそれぞれ手のひらを載せたところ、数秒後より上記板状片に接触している手のひらの部分が汗ばむのが感じられた。
【００３２】
［比較例］
波動増幅用の板状片１枚を、茶葉の入った缶に入れ、１０分後に該板状片を取り出した。その後、缶内の茶葉を用いて通常の方法にてお茶をたてた。波動テスターを用いて上記と同様の方法で当該お茶の表面から発する波動を検波したところ、上記の結果と変わりなく、テスターの錘は上から見て反時計方向に回転し始めた。その後、茶葉の入った缶のなかに一晩上記と同じ板状片を入れておき、翌朝当該缶より茶葉を取り出し同様の方法でお茶をたて、上記波動テスターを用いて同様の方法によりお茶液面から発する波動を検波したところ、上記結果とは異なり、今度は時計方向に波動テスターの錘は回転し始めた。
この結果から、茶葉に御影石を短時間接触させただけでは、御影石の発する波動は茶葉の発する波動を変化させることはできず、御影石の発する波動が茶葉に転波されるのに長時間を要することを確認した。
【００３３】
［実施例２］
１０ｃｍ角の黄色の色紙２枚を用意し、これらを木製の机の上に約５ｃｍ離して置き、一方の色紙の上方約１０ｃｍに振り子の錘がくるように上記した波動テスターを吊るして、色紙から発する波動を検波しようとしたところ、波動テスターの錘は回転しなかった。その後、この２枚の色紙を本発明の装置両末端の正四角形状の板状片の上にそれぞれ１枚ずつ置き、一方の色紙の上方に同様の方法により波動テスターの錘を吊るしたところ、上から見て時計方向に小さい振幅で回転し始めた。このことは、個々の色紙が発する波動が同調共鳴するのを本発明の装置が増幅したことによるものを考えられる。
【００３４】
以上の結果より、本発明に係る波動増幅転波器は、特に電源を必要とせず、瞬時に御影石の発する波動を転波することができることが明らかである。また、本発明に係る波動増幅転波器が、波動増幅転波作用に基づく気功作用とともに、マイクロマッサージ作用をも兼ね備えた多機能型の健康器具として使用できることも確認できた。
【００３５】
【発明の効果】
本発明に係る波動増幅転波器を使用することにより、特に電源を必要とせず、その構成材が発する固有の波動を増幅して他の物体に転波するとともに上記波動増幅転波器に接触した物や人体の有する波動を増幅して、この増幅された波動を他の物や人体へ転波する気功作用を有し、かつその構成材それ自体の中間赤外線を含む遠赤外線放射によるマイクロマッサージ作用と上記気功作用を兼備した多機能型の健康器具等としても使用可能である。また、波動増幅転波器の構成材である天然鉱石等の板状片は、その表面に複数の起伏を設けることにより、人体のツボを刺激する指圧作用を備えることができる。更に、上記板状片を、枠体に単にはめ込んで収容した場合、容易に取り外し洗うことができ、取り扱いも容易であるという利点がある。
【図面の簡単な説明】
【図１】本発明の波動増幅転波器の好ましい実施の形態の一例を示す平面図である。
【符号の説明】
１：波動増幅転波器
Ａ：正四角形状の板状片
Ｂ：正四角形状の板状片と対向する辺間の距離及び厚さが等しい正八角形状の板状片
Ｃ：対向する辺間の距離及び厚さが小さい正八角形状の板状片
Ｓ：小空間
【図１】
2004329785.tif 000003